(57)【特許請求の範囲】
【請求項１】
上下方向の高さ及び水平方向の位置を変更可能な支持体の上端に複数のベースを回転自在に設けるとともに、前記ベースに複数の骨部材を展開及び折り畳み可能に備え、前記骨部材に折り畳み可能なシートを連接し、
前記支持体は、取付け位置に固定されるパイプ状の第１ロッドと、前記第１ロッドに内挿され軸線方向に移動自在且つ軸線回りに回転自在とした第２ロッドと、前記第２ロッドの上端に上下方向に折り畳み可能に連接したアームとからなり、前記アームの先端に前記ベースを回転自在に備えていることを特徴とする折り畳み式テント。
【発明の詳細な説明】
【０００１】
【発明の属する技術分野】
本発明は、屋外で各種の作業や待機する際に雨除け、雪除け、日除け及び防塵対策のために有効に利用できようにした折り畳み式テントに関する。
【０００２】
【従来の技術】
屋外に設置した配電盤等の保守点検を行う場合、雨や雪除けまたは夏期においては日除のためにテントを張って作業者を雨や雪または陽光から保護することが一般に行われている。一方、テントを張るのに作業前後の段取りに時間を費やすことから、図１５に示すようにブルーシートを利用して簡易に設置と除去ができるようにしたものもある。すなわち、図示のように、配電盤５０の上にブルーシート５１を被せると同時に作業者５２が作業できるように空間を作り、ブルーシート５１の端部に設けたロープ５１ａを地面に設置したブロック５３に勾留することでブルーシート５１を張り巡らす。このようにブルーシート５１を張ることで、作業者５２は雨や雪及び陽光等から保護することができ、雨天の場合でも作業者５２は両手を使って楽に作業することができる。
【０００３】
【発明が解決しようとする課題】
ところが、ブルーシート５１はブロック５３にロープ５１ａを介して勾留されるだけなので、ブルーシート５１を安定して固定することは困難である。すなわち、ブロック５３の位置を適正にしなければブルーシート５１を安定させて張り巡らすことができず、緩み等を生じて作業者５２の保護が十分にできない。このように、ブルーシート５１を用いる場合では、テントを張るよりも段取り作業が簡略されるが、作業者５２の保護の面では十分ではないという問題がある。
【０００４】
そこで、本発明は、簡単な構造でしかも作業者の保護も確実にできる折り畳み式テントを提供することを目的とする。
【０００５】
【課題を解決するための手段】
本発明は、上下方向の高さ及び水平方向の位置を変更可能な支持体の上端に複数のベースを回転自在に設けるとともに、前記ベースに複数の骨部材を展開及び折り畳み可能に備え、前記骨部材に折り畳み可能なシートを連接し、前記支持体は、取付け位置に固定されるパイプ状の第１ロッドと、前記第１ロッドに内挿され軸線方向に移動自在且つ軸線回りに回転自在とした第２ロッドと、前記第２ロッドの上端に上下方向に折り畳み可能に連接したアームとからなり、前記アームの先端に前記ベースを回転自在に備えたことを特徴とする。
【０００８】
【発明の実施の形態】
本発明においては、支持体の上端に設けたベースを回転させるとともに骨部材を円状に展開させることでシートを傘のように張り巡らすことができる。
【０００９】
また、上下方向の高さ及び水平方向の位置を変更可能な支持体とすれば、支持体の上端に折り畳み可能な骨部材を設けているので、折り畳み式テントの高さと水平方向の位置を自在に変えることができ、作業条件に対して最適な折り畳み式テントの高さと位置を変更することができ、作業性を向上させることができる。
【００１０】
【実施例】
図１は本発明の折り畳み式テントを柱上作業用のゴンドラに取り付けたときの正面図、図２は平面図である。
【００１１】
柱上作業車のブーム（図示せず）の上端に取り付けられたゴンドラ４０に固定具４１を介して本発明の折り畳み式テント１が固定されている。折り畳み式テント１は、固定具４１を介してゴンドラ４０に固定されるパイプ状の第１ロッド２と、この第１ロッド２の中に二重管状に挿入され軸線方向に移動可能で且つ軸線回りで回転自在な第２ロッド３と、この第２ロッド３の上端に上下方向に回動自在に取り付けたアーム４と、このアーム４の上端に回転自在に配置した２枚のベース５ａ，５ｂと、これらのベース５ａ，５ｂにそれぞれ４本連接した骨部材６，７と、これら骨部材６，７に張り付けたシート８とから構成されたものである。こような折り畳み式テント１では、ベース５ａ，５ｂの水平方向への回動と骨部材６，７の水平方向への回動展開によって図２に示すように骨部材６，７を円状に展開させることができ、シート８を傘のようにした使用することができる。そして、骨部材６，７を折り畳むとともにベース５ａ，５ｂが整合するように回動させることでシート８を折り畳むことができる。
【００１２】
図３は固定具４１の詳細であって、（ａ）は平面図、（ｂ）はゴンドラ４０に対する固定構造を示す正面図である。
【００１３】
固定具４１はゴンドラ４０の内壁に沿う第１部材４１ａと外壁に沿う第２部材４１ｂとをボルト４１ｃで一体に連結したものである。第１部材４１ａには第１ロッド２を差し込むためのスリーブ４１ｄを形成するとともに、このスリーブ４１ｄにはスナップフィット式で第１ロッド２を固定するための孔４１ｅを設ける。また、第２部材４１ｂにはゴンドラ４０の外壁に突き当たり固定具４１のぐらつきを防止する固定ボルト４１ｆを設ける。このような構成において、第１，第２部材４１ａ，４１ｂをゴンドラ４０の上端壁を挟み込むように配置し、ボルト４１ｃを締め上げることによって、これらの第１，第２部材４１ａ，４１ｂでゴンドラ４０の上端壁を狭持し、更に固定ボルト４１ｆを図３の（ｂ）において右側に移動させることで固定具４１をゴンドラ４０の上端に固定することができる。
【００１４】
図４は折り畳み式テント１の第１ロッド２，第２ロッド３，アーム４の構成を示す正面図である。
【００１５】
第１ロッド２の下端には外側に向けてスプリング（図示せず）によって付勢されたピン２ａを設ける。第１ロッド２を固定具４１のスリーブ４１ｄに挿入するとピン２ａはスリーブ４１ｄの内壁によって押されて内側に移動し、ピン２ａが孔４１ｅと整合したときにはこのピン２ａが孔４１ｅに嵌入し、スナップフィット機構によって第１ロッド２が固定具４１に固定される。すなわち、第１ロッド２の下端部をスリーブ４１ｄに差し込むことによって、ピン２ａと孔４１ｅとによるスナップフィット機構によって第１ロッド２が固定具４１に固定される。そして、固定状態から指先でピン２ａをスリーブ４１ｄの内側に押さえ付け第１ロッド２を上側に動かすことにより、ピン２ａと孔４１ｅとの間の係合が解かれて第１ロッド２を固定具４１から抜き取ることができる。
【００１６】
第１ロッド２の上端部には、内挿した第２ロッド３に対してブロック（図示せず）を移動させて係合と非係合の位置に設定可能な操作ボルト２ｂを設ける。この操作ボルト２ｂは、第１ロッド２内に臨むブロックを一体に連結したもので、操作ボルト２ｂを図４において左側に回転させて移動させることにより第２ロッド３に対するブロックの係合を解き、右側に回転させて移動させることにより第２ロッド３にブロックが係合してこれを固定するように動作する。したがって、ブロックが非係合の位置にあるときに第２ロッド３の高さを任意に設定できるとともに軸線回りの角度も任意に設定することができ、アーム４の高さと指向方向を任意に設定することができる。
【００１７】
第２ロッド３の上端にはブラケット３ａを設け、このブラケット３ａを貫通するピン３ｂによってアーム４を上下方向に回動自在に連接する。アーム４の基端には外側に向けてスプリング（図示せず）によって付勢されたピン４ａを設けるとともに、ブラケット３ａにはピン４ａとともにスナップフィット機構を構成するための孔３ｃを設ける。このような構成おいて、ピン４ａが孔３ｃに嵌入しているときには、アーム４は図４において実線で示す姿勢に保持され、アーム４を下に押し下げるとピン４ａが孔３ｃから離脱し、アーム４はその自重によって図中の一点鎖線で示すように吊り下がった状態に設定することができる。
【００１８】
ベース５ａ，５ｂはアーム４の上端に回転自在に設けられるもので、骨部材６，７を折り畳むときにはこれらのベース５ａ，５ｂを旋回させて上下に重なり合うようにする。図５は骨部材６，７を折り畳んだ状態を示すものであって、（ａ）は平面図、（ｂ）正面図である。図示のように、ベース５ａ，５ｂは互いに重なりあい、骨部材６，７も上下に重なり合った状態に折り畳まれる。
【００１９】
以上の構成において、ゴンドラ４０に折り畳み式テント１を装着するには、第１ロッド２を固定具４１のスリーブ４１ｄに差し込みピン２ａと孔４１ｅとによるスナップフィット機構によって固定する。この後、図５に示したベース５ａ，５ｂの重なりが外れるようにそれぞれ旋回させるとともに、骨部材６，７のそれそれぞれを展開させて図２に示すように位置を設定する。これにより、折り畳み式テント１のシート８を展開させることができ、ゴンドラ４０に乗る作業者を雨や雪または陽光から保護することができる。なお、ベース５ａ，５ｂに連接した４本ずつの骨部材６，７はこれらを展開したとき図２の符号「６，７」で示すように１本ずつの組が重なり合うようにし、この重なりあった骨部材６，７を一体にフック（図示せず）等で接合できる構成とすることによってシート８を円状に展開させることができる。
【００２０】
第２ロッド３の高さや回転角度は操作ボルト２ｂによって自由に変更できるので、作業者の身長に合わせた高さに設定できるとともに、図２の一点鎖線で示すように折り畳み式テント１の位置を自由に変えることができる。したがって、作業条件に応じて折り畳み式テント１の高さと位置を自由に設定することができ、作業性を向上させることができる。
【００２１】
ゴンドラ４０による作業を終了したら、骨部材６，７をそれぞれ折り畳むとともにベース５ａ，５ｂが重なり合うように旋回させて、図５に示した折り畳み状態にセットする。なお、シート８は図示していないが、骨部材６，７の折り畳みと同時にシート８もコンパクトに折り畳まれる。次いで、指先でピン４ａを押さえつけアーム４を下に引き下げることにより。ピン４ａと孔３ｃとによるスナップフィット機構による拘束を解除する。これにより、アーム４と骨部材６，７を図４に示すよう折り畳むことができる。そして、固定具４１から第１ロッド２を引き上げることにより、折り畳み式テント１を畳んだ状態とすることができる。
【００２２】
このように、本発明の折り畳み式テント１では、ゴンドラ４０に装着したときには、骨部材６，７を展開させてシート８を傘状に張ることができ、ゴンドラ４０に乗る作業者を雨や雪または陽光から保護することができる。そして、作業が終了すれば、図４の一点鎖線で示すように折り畳むことができ、折り畳み式テント１をコンパクトにして搬送を容易にすることができる。
【００２３】
図６から図９は本発明の折り畳み式テント１の使用形態を示すものである。
【００２４】
図６の例は従来例でも示した配電盤５０の保守点検作業用としたもので、吸盤６１によって折り畳み式テント１のロッド部が配電盤５０の上端に固定されている。この例では、折り畳み式テント１によって作業者５２を保護することができるので、雪除けや雨除けとして利用できる。なお、保護の万全を図るため、折り畳み式テント１の周縁からカバーシート６２を垂らすことが好ましい。
【００２５】
図７の例は釣り人用として本発明の折り畳み式テント１を用いたものである、釣り人６３は折り畳み式テント１のロッド部を背中に載せるハンガー６４を備えるだけで、折り畳み式テント１によって雨等に濡れないようにすることができる。
【００２６】
図８の例は工事現場や道路工事等に派遣されるガードマンの待機位置に折り畳み式テント１を設置した例である。この例では、地面からロッド部を立ち上げることによって、折り畳み式テント１によってガードマン６５を保護することができる。
【００２７】
図９の例は電柱作業の例を示すものである。
【００２８】
図示の例では、電柱６６に設けた固定具６６ａによって折り畳み式テント１のロッド部が固定され、作業者６７の真上に折り畳み式テント１を配置することによって雨や雪から保護することができる。
【００２９】
図１０から図１４は折り畳み式テントの形状の例を示すものであり、図１０は５本の骨部材によってシートを長方形状に展開したもの、図１１は６本の骨部材によってシートを五角形状に展開したもの、図１２は４本の骨部材によってシートを三角形状に展開したもの、図１３は９本の骨部材によってシートを長方形状に展開したもの、図１４は９本の骨部材によってシートを八角形状に展開したものである。このように骨部材の本数や長さを変えることによって、折り畳み式テント１の形状を様々に変えることができ、用途に応じた形状の折り畳み式テント１を供給することができる。
【００３０】
【発明の効果】
本発明では、上下方向の高さ及び水平方向の位置を変更可能な支持体の上端に折り畳み可能な骨部材を設けているので、折り畳み式テントの高さと水平方向の位置を自在に変えることができ、作業条件に対して最適な折り畳み式テントの高さと位置を変更することができ、作業性を向上させることができる。
【図面の簡単な説明】
【図１】本発明の折り畳み式テントを柱上作業用のゴンドラに取り付けた例を示す正面図。
【図２】図１の平面図。
【図３】固定具の詳細であって、（ａ）は平面図、（ｂ）はゴンドラへの取り付け構造を示す正面図。
【図４】折り畳み式テントの要部を示す正面図。
【図５】骨部材の折り畳みを示す図であって、（ａ）は平面図、（ｂ）は正面図。
【図６】本発明の折り畳み式テントを配電盤の保守点検作業に利用する形態を示す図。
【図７】本発明の折り畳み式テントを釣り人用に利用する形態を示す図。
【図８】本発明の折り畳み式テントをガードマンに利用する形態を示す図。
【図９】本発明の折り畳み式テントを柱上作業に使用する形態を示す図。
【図１０】５本の骨部材によって長方形状に展開した折り畳み式テントの平面図。
【図１１】６本の骨部材によって五角形状に展開した折り畳み式テントの平面図。
【図１２】４本の骨部材によって三角形状に展開した折り畳み式テントの平面図。
【図１３】９本の骨部材によって長方形状に展開した折り畳み式テントの平面図
【図１４】９本の骨部材によって八角形状に展開した折り畳み式テントの平面図。
【図１５】従来例を示す概略斜視図。
【符号の説明】
１  折り畳み式テント
２  第１ロッド
２ａ  ピン
２ｂ  操作ボルト
３  第２ロッド
３ａ  ブラケット
３ｂ  ピン
３ｃ  孔
４  アーム
４ａ  ピン
５ａ，５ｂ  ベース
６，７  骨部材
８  シート
４０  ゴンドラ
４１固定具
４１ａ  第１部材
４１ｂ  第２部材
４１ｃ  ボルト
４１ｄ  スリーブ
４１ｅ  孔
４１ｆ  固定ボルト
【図１】
0004593819.tif 000002
【図２】
0004593819.tif 000003
【図３】
0004593819.tif 000004
【図４】
0004593819.tif 000005
【図５】
0004593819.tif 000006
【図６】
0004593819.tif 000007
【図７】
0004593819.tif 000008
【図８】
0004593819.tif 000009
【図９】
0004593819.tif 000010
【図１０】
0004593819.tif 000011
【図１１】
0004593819.tif 000012
【図１２】
0004593819.tif 000013
【図１３】
0004593819.tif 000014
【図１４】
0004593819.tif 000015
【図１５】
0004593819.tif 000016